(57)【要約】【課題】不使用時には吐水管の収納が可能で、使用時には、不都合なく吐水管を使用することができる吐水装置を提供すること。【解決手段】液体貯留タンク１に装着される吐水装置であって、液体貯留タンク１内に略垂直に挿入配置される導入管２と、液体貯留タンク１内の液体を外部へと吐出可能とする吐水管３とを備え、導入管２は、円筒形で、側面に第１入水孔を有し、吐水管３は、側面に第２入水孔を有する垂直管部３aと先端域に吐水口７を有する水平管部３bとを有し、略Ｌ字形状であり、吐水管３の垂直管部３aは、導入管２内に回動自在に挿管されるとともに、水平管部３bは、液体貯留タンク１の外部へと延設され、水平管部３bが所定方向に回動した場合に、導入管２の第１入水孔と吐水管３の垂直管部３aの第２入水孔が連通して、液体貯留タンク１内の液体が吐水管３の水平管部３bの吐水口７から排出される。【選択図】図１
2011132679.tif 000002
【特許請求の範囲】
【請求項１】
液体貯留タンクに装着される吐水装置であって、
液体貯留タンク内に略垂直に挿入配置される導入管と、液体貯留タンク内の液体を外部へ吐出可能とする吐水管とを備え、
導入管は、円筒形で、側面に第１入水孔を有し、
吐水管は、側面に第２入水孔を有する垂直管部と先端域に吐水口を有する水平管部とを有し、略Ｌ字形状であり、
吐水管の垂直管部は、導入管内に回動自在に挿管されるとともに、水平管部は、液体貯留タンクの外部へと延設され、
水平管部が所定方向に回動した場合に、導入管の第１入水孔と吐水管の垂直管部の第２入水孔が連通して、液体貯留タンク内の液体が吐水管の水平管部の吐水口から排出されることを特徴とする吐水装置。
【請求項２】
導入管の内周面および吐水管の垂直管部外周面には溝加工が施され、この溝同士の嵌合によって、吐水管が支持されていることを特徴とする請求項１に記載の吐水装置。
【請求項３】
導入管は、液体貯留タンク外側の端部外周縁にフランジを有することを特徴とする請求項１または２に記載の吐水装置。
【請求項４】
請求項１から３のいずれか一項に記載の吐水装置を備えることを特徴とする液体貯留タンク。
【請求項５】
吐水装置は、液体貯留タンクの外側面に設けられた凹部の天井に配設されていることを特徴とする請求項４に記載の液体貯留タンク。
【請求項６】
水平管部の回動によって、水平管部が凹部正面に対して直角方向を向いた場合に、液体貯留タンク内の液体が排出されることを特徴とする請求項５に記載の液体貯留タンク。
【発明の詳細な説明】
【技術分野】
【０００１】
本発明は、吐水装置およびこの吐水装置を備えた液体貯留タンクに関するものである。
【背景技術】
【０００２】
従来より、雨水を建物の樋などから取水し、貯えることのできる雨水の貯水タンクが知られている。この雨水は、例えば、農業用・園芸用などに有効利用されている。特許文献１に示される雨水の貯水装置のように、貯水タンクの下方には、貯水タンク内の水をバケツやジョウロ等に汲み出すための吐水管が、貯水タンクの外周面から突出するように固定、配設されている。
【０００３】
このような従来の雨水の貯水装置の吐水管の構造は、一般的には、特許文献２に示されているような通常の水道水を吐水する蛇口と同様の構造が採用されている。具体的には、例えば、図５にも例示するように、壁面３０から前方に突出するように吐水管３１が固定され、この吐水管３１の上方に設けられたつまみ３２を操作することによって、吐水および吐水の停止が行われる。
【０００４】
しかしながら、特許文献１のように、吐水管が貯水タンクの外周面から突出するように固定、配設されている場合には、貯水装置の付近を人が往来する際に誤って吐水管に接触しやすく、これによって、吐水管が破損したり、漏水が発生したりするという不都合があった。さらに、吐水管が外周面から突出していることによって、人目につきやすく、例えば、幼児の興味を惹くことによって誤って使用され、貯水タンク内の水を誤飲してしまう恐れもあった。また、日光（紫外線）によって、吐水管の劣化も進行しやすい。
【０００５】
そこで、例えば、図６（Ａ）（Ｂ）に例示するように、貯水装置３３の貯水タンク３４の下方外側面に凹部３５を設け、この凹部３５に吐水管３１を固定することが検討されてきた。
【０００６】
この貯水装置３３は、人の吐水管３１への接触を回避し、吐水管３１の破損、漏水を抑制することには一定の効果がある。しかしながら、この貯水タンク３４の凹部３５においては、固定された吐水管３１の下方にバケツやジョウロ等を収納することになる。したがって、この場合には、バケツやジョウロ等の収納を可能とするための十分な空間を確保する必要があるため、貯水タンク３４の凹部３５は、バケツやジョウロ等の大きさに依存して形成されることになる。このため、前記凹部３５の大きさに比例して、貯水タンク３４の容量が制限されてしまうことが問題であった。さらに、前記凹部３５の形成は、貯水タンク３４の底面の形状にも影響を与えるため、設置安定性を害するという問題もあった。
【０００７】
さらに、貯水タンク３４の凹部３５に吐水管３１を固定する場合、やや人目につき難くはなるものの、前記凹部３５内において吐水管３１が突出していることにはかわりなく、幼児の興味を惹くことが懸念される。
【先行技術文献】
【特許文献】
【０００８】
【特許文献１】実用新案登録番号第3020429号
【特許文献２】実用新案登録第3098987号
【発明の概要】
【発明が解決しようとする課題】
【０００９】
本発明は、以上のような事情に鑑みてなされたものであり、従来の問題点を解決し、不使用時には吐水管の収納が可能で、使用時には、不都合なく吐水管を使用することができる吐水装置、および、この吐水装置を備えた液体貯留タンクを提供することを課題としている。
【課題を解決するための手段】
【００１０】
本発明の吐水装置は、上記の課題を解決するため、以下のことを特徴としている。
【００１１】
第１の発明は、液体貯留タンクに装着される吐水装置であって、液体貯留タンク内に略垂直に挿入配置される導入管と、液体貯留タンク内の液体を外部へ吐出可能とする吐水管とを備え、導入管は、円筒形で、側面に第１入水孔を有し、吐水管は、側面に第２入水孔を有する垂直管部と先端域に吐水口を有する水平管部とを有し、略Ｌ字形状であり、吐水管の垂直管部は、導入管内に回動自在に挿管されるとともに、水平管部は、液体貯留タンクの外部へと延設され、水平管部が所定方向に回動した場合に、導入管の第１入水孔と吐水管の垂直管部の第２入水孔が連通して、液体貯留タンク内の液体が吐水管の水平管部の吐水口から排出される。
【００１２】
第２の発明は、上記第１の発明の特徴において、導入管の内周面および吐水管の垂直管部外周面には溝加工が施され、この溝同士の嵌合によって、吐水管が支持されている。
【００１３】
第３の発明は、上記第１および第２の発明の特徴において、導入管は、液体貯留タンク外側の端部外周縁にフランジを有する。
【００１４】
第４の発明は、液体貯留タンクであって、前記第１から３のいずれかの吐水装置を備える。
【００１５】
第５の発明は、上記第４の発明の特徴において、吐水装置は、液体貯留タンクの外側面に設けられた凹部の天井に配設されている。
【００１６】
第６の発明は、上記第５の発明の特徴において、水平管部の回動によって、水平管部が凹部正面に対して直角方向を向いた場合に、液体貯留タンク内の液体が排出される。
【発明の効果】
【００１７】
第１の発明では、水平管部が所定方向に回動した場合に、導入管の第１入水孔と吐水管の垂直管部の第２入水孔が連通して、液体貯留タンク内の液体が吐水管の水平管部の吐水口から排出される。このため、吐水装置を使用しない時には、水平管部を回動させて吐水管を適宜な位置に収納することができる。したがって、吐水管が液体貯留タンクから突出せず、人が吐水管に接触することがなく、これに伴う吐水口の破損、漏水を抑制することができ、また、吐水管が人目につき難くなる。また、吐水装置の使用時には、所望の水平管部の方向において液体貯留タンク内の液体の排出が可能である。このため、吐水管からバケツやジョウロ等への汲み出しが容易で、液体貯留タンクの容量が制限されることもなく、液体貯留タンクの設置安定性にも優れている。
【００１８】
第２の発明では、導入管の内周面および吐水管の垂直管部外周面には溝加工が施され、この溝同士の嵌合によって吐水管が支持されている。このため、上記効果に加え、吐水管をより安定に支持することができる。
【００１９】
第３の発明では、導入管は、外側の端部外周縁にフランジを有している。このため、このフランジと液体貯留タンクの外周面とを当接させることで、導入管および吐水管を液体貯留タンクにより安定に取り付けることができる。
【００２０】
第４の発明では、上記の効果を発揮する液体貯留タンクが提供される。
【００２１】
第５の発明では、液体貯留タンクの外側面に設けられた凹部の天井に前記吐水装置が取り付けられている。このため、吐水装置を使用しない時に水平管部を回動させて吐水管を凹部内の適宜な位置に収納することで、一層、人が吐水管に接触することがない。また、吐水管がさらに人目につき難くなる。さらに、吐水装置の使用時には、所望の水平管部の方向において液体貯留タンクの液体を排出することができる。このため、凹部内においても吐水管から、バケツやジョウロ等への汲み出しが容易である。また、凹部の形成領域も小さく抑えることができる。したがって、凹部によって液体貯留タンクの容量が制限されることがなく、液体貯留タンクの設置安定性にも優れている。
【００２２】
第６の発明では、水平管部の回動によって水平管部が凹部正面に対して直角方向を向いた場合に、液体貯留タンク内の液体が排出される。このため、吐水管から、バケツやジョウロ等への汲み出しがさらに容易になり、また、吐水装置の不使用時には、更に効果的に吐水管を凹部内に収納することができる。
【図面の簡単な説明】
【００２３】
【図１】本発明の吐水装置およびこの吐水装置を備えた液体貯留タンクの一実施形態を例示する要部拡大図である。
【図２】図１のＸ部を拡大した要部断面図である。
【図３】本発明の吐水装置の構造を例示した透視図であり、（Ａ）は、止水時を示し、（Ｂ）は、吐水時を示している。
【図４】本発明の吐水装置を備えた雨水用の液体貯留タンクの一実施形態を示す外観図である。（Ａ）は、吐水装置不使用時（止水時）の正面図、（Ｂ）は、吐水装置不使用時（止水時）の斜視図、（Ｃ）は吐水装置使用時（吐水時）の正面図、（Ｄ）は、吐水装置使用時（吐水時）の斜視図である。
【図５】従来の吐水装置を例示した側面図である。
【図６】従来の雨水の貯水装置を例示した斜視図および要部拡大図である。
【発明を実施するための形態】
【００２４】
本発明の実施の形態について、図面を参照して説明する。
【００２５】
図１は、本発明の吐水装置およびこの吐水装置を備えた液体貯留タンクの一実施形態を例示する要部拡大図である。図２は、図１のＸ部を拡大した要部断面図である。図３は、本発明の吐水装置の構造を例示する内部透視図である。
【００２６】
液体貯留タンク１は、吐水装置として、導入管２と吐水管３を備えている。
【００２７】
導入管２は、円筒形で、側面に第１入水孔２Ａを有している。第１入水孔２Ａの形状は、適宜設計することができるが、好ましくは図３に例示するように円形状である。また、第１入水孔２Ａの大きさ、位置等も適宜設計することができる。
【００２８】
さらに、導入管２は、液体貯留タンク１内に略垂直に挿入配置される。図１に例示するように、液体貯留タンク１の下方外側面に凹部４を設け、この凹部４の天井４aに、導入管２を取り付けることで、導入管２を貯水タンク１内において略垂直に位置させることができる。液体貯留タンク１内に位置する導入管２は、導入管２の略全部であっても、一部であってもよい。
【００２９】
導入管２の取り付け方法は特に限定されないが、好ましくは、例えば、図２に例示するように、液体貯留タンク１の凹部４の天井４aに、導入管２を挿入するための開口４bを設け、この開口４bの内周面および導入管２の外周面に、例えば、ネジ切りのような溝４c、２aを形成し、両者を互いに嵌合させることで取り付けることができる。これによって、導入管２を安定に取り付けることができる。
【００３０】
また、液体貯留タンク１の外側の導入管２の端部外周縁にはフランジ５を設けることができる。そして、このフランジ５を液体貯留タンク１の凹部４の天井４aに当接させることで、導入管２を液体貯留タンク１の凹部４の天井４aにさらに安定に取り付けることができる。また、液体貯留タンク１における導入管２の取り付け箇所の強度を確保するため、図２に例示されるように、例えば、導入管２を挿入するための開口４b近傍の液体貯留タンク１外壁を、他の箇所より厚く形成することができる。導入管２の取り付け方法は、上記の方法に限定されず、例えば、接着剤などを用いて取り付けてもよい。
【００３１】
さらに、フランジ５と液体貯留タンク１との当接面には、漏水防止用のパッキン６を介在させることができる。図２に示す例では、フランジ５と凹部４の天井４aとの当接面に漏水防止用のパッキン６を介在させている。これによって、導入管２と凹部４の天井４aとの当接面からの漏水が確実に抑制される。
【００３２】
吐水管３は、液体貯留タンク１内の液体を外部へ吐出可能とする。具体的には、吐水管３は、側面に第２入水孔３Ａを有する垂直管部３aと、先端域に吐水口７を有する水平管部３bからなる略Ｌ字形状である。この第２入水孔３Ａの形状、大きさは適宜設計することができ、前記第１入水孔２Ａと形状、大きさを略一致させることが好ましい。特に好ましい形状は円形である。さらに、第２入水孔３Ａの形成位置は、吐水管３の垂直管部３aが、導入管２内に挿管された状態において、前記第１入水孔２Ａと略同じ水平高さとなるように形成することができる。
【００３３】
吐水口７は、水平管部３bの先端域から下方に突出して形成することができる。吐水口７は、このような位置、形状に限定されず、適宜設計することができる。
【００３４】
そして、吐水管３の垂直管部３aは、導入管２内に挿管され、水平管部３bは、液体貯留タンク１の外部に位置するように延設される。このとき、導入管２の内周面と吐水管３の垂直管部３aの外周面は、当接または近接状態となる。
【００３５】
導入管２内に挿管された吐水管３の支持方法は具体的に限定されないが、例えば、図２に例示するように、導入管２の内周面および吐水管３の垂直管部３aの外周面に、ネジ切りのような溝２b、３cを形成し、この溝２b、３c同士の嵌合によって、確実に吐水管３を支持することできる。
【００３６】
さらに、吐水管３の垂直管部３aは、挿管された導入管２内において水平方向に回動自在である。そして、吐水管３の垂直管部３aの回動に伴って、吐水管３の水平管部３bの先端も水平方向に回動する。吐水管３の水平管部３bの回動範囲は、吐水管３の垂直管部３aを回動軸として、周囲３６０°回動可能である。導入管２および吐水管３の配設位置、形状および液体貯留タンク１の形状などを考慮して、吐水管３の垂直管部３aの可動範囲を制限することもできる。
【００３７】
例えば、図１に例示するように、液体貯留タンク１の下方外側面に凹部４を設け、この凹部４の天井４aに導入管２および吐水管３を取り付ける場合には、吐水管３の水平管部３bの回動範囲を、凹部４の正面４dに対して、吐水管３の水平管部３bが０°〜１８０°または、０°〜９０°となるように制限することができる。
【００３８】
そして、水平管部３bが所定方向に回動した場合に、導入管２の第１入水孔２Ａと吐水管３の垂直管部３aの第２入水孔３Ａが連通して、液体貯留タンク１内の液体が吐水管３の水平管部３bの吐水口７から排出される。
【００３９】
具体的には、特に図３（Ａ）に例示するように、導入管２の第１入水孔２Ａと吐水管３の垂直管部３aの第２入水孔３Ａとが連通しない状態においては、導入管２の第１入水孔２Ａが、吐水管３の垂直管部３aの外周面によって内側から封止される。したがって、この状態においては、液体貯留タンク１内の液体が吐水管３の水平管部３bの吐水口７から排出されることはない。
【００４０】
一方、図３（Ｂ）に例示するように、図３（Ａ）に例示する止水状態から、例えば、手指で吐水管３を操作して、水平管部３bを所定方向まで回動させると、導入管２の第１入水孔２Ａと吐水管３の垂直管部３aの第２入水孔３Ａとが連通する。これによって、液体貯留タンク１内の液体が、前記第１入水孔２Ａおよび第２入水孔３Ａを通じて吐水管３の内部に流入し、吐水管３の水平管部３bの吐水口７から排出される。なお、当然にも、液体貯留タンク１内の導入管２の周囲には、吐水させる液体が存在することが前提となる。
【００４１】
このように、吐水管３の水平管部３bが所定方向に回動した場合に、導入管２の第１入水孔２Ａと吐水管３の垂直管部３aの第２入水孔３Ａが連通して、液体貯留タンク１内の液体が吐水管３の水平管部３bの吐水口７から排出されて吐水する。また、吐水管３の水平管部３bを前記所定方向以外の方向に回動させれば止水される。このため、簡便かつ確実に吐水および止水の制御が可能である。
【００４２】
したがって、吐水装置を使用しない時には、水平管部３bを回動させて吐水管３を適宜な位置に収納することができる。したがって、吐水管３が液体貯留タンク１から突出せず、人が吐水管３に接触することがなく、これに伴う吐水口７の破損、漏水を抑制することができ、また、吐水管３が人目につき難くなる。また、吐水装置の使用時には、所望の水平管部３bの方向において液体貯留タンク１内の液体の排出が可能であり、吐水管３から、バケツやジョウロ等への汲み出しが容易である。
【００４３】
ここで、前記「所定方向」は、液体貯留タンク１の形状、導入管２および吐水管３の取り付け位置、吐水管３の形状等を考慮して、吐水管３の垂直管部３aを回動軸とした水平方向の周囲３６０°の範囲で適宜決定することができる。ただ、図１に例示するように、液体貯留タンク１の外側面に設けられた凹部４の天井４aに導入管２および吐水管３が取り付けられている場合には、水平管部３bの回動方向の範囲は、液体貯留タンク１の外側とすることができる。すなわち、凹部４の正面４dに対して、０°〜１８０°の範囲とすることができる。
【００４４】
ここで、前記「連通」とは、導入管２の第１入水孔２Ａと吐水管３の垂直管部３aの第２入水孔３Ａとが外見上重なり合って、液体貯留タンク１内の液体を吐水管３の内部に導くことができる状態をいう。したがって、前記「連通」は、導入管２の第１入水孔２Ａと吐水管３の垂直管部３aの第２入水孔３Ａとが一部分において重なり合っている状態を含むが、好ましくは、第１入水孔２Ａおよび第２入水孔３Ａとが完全に重なり合う状態である。
【００４５】
図４は、本発明の吐水装置を備えた雨水用の液体貯留タンクの一実施形態として、吐水装置の使用時、不使用時を例示した外観図である。具体的には、図４（Ａ）は、吐水装置不使用時（止水時）の正面図、（Ｂ）は、吐水装置不使用時（止水時）の斜視図、（Ｃ）は吐水装置使用時（吐水時）の正面図、（Ｄ）は、吐水装置使用時（吐水時）の斜視図である。
【００４６】
液体貯留タンク１の下方外側面には、凹部４が設けられている。この凹部４の天井４aには、吐水装置として導入管２および吐水管３が取り付けられている。
【００４７】
図４（Ａ）（Ｂ）に例示するように、吐水装置を使用しない場合には、水平管部３bの回動によって、水平管部３bを凹部４の正面４dに対して略並行方向（０°）を向けて、凹部４内に収納することができる。したがって、凹部４内に吐水管３が取り付けられていることに加え、水平管部３bが収納されているため、吐水管３が外部にほとんど突出しない。よって、人が吐水管３に接触することがなく、これに伴う吐水管３の破損、漏水を抑制することができる。また、吐水管３が人目につき難く、幼児が誤って液体貯留タンク１内の雨水を誤飲してしまうといった危険性がほとんどない。
【００４８】
一方、図４（Ｃ）（Ｄ）に例示するように、吐水装置を使用する場合には、水平管部３bの回動によって、水平管部３bを凹部４の正面４dに対して直角方向（９０°）を向ける。このように、水平管部３bが凹部４の正面４dに対して直角方向（９０°）を向いた場合に、導入管２の第１入水孔２Ａと吐水管３の垂直管部３aの第２入水孔３Ａが連通するように、第１入水孔２Ａと第２入水孔３Ａの位置関係を設計することができる。そして、第１入水孔２Ａと第２入水孔３Ａが連通することで、液体貯留タンク１の内部の雨水を排出することができる。
【００４９】
このように、水平管部３bを凹部４の正面４dに対して直角方向（９０°）を向けると、凹部４の正面４dから水平管部３bの先端までの距離が最大となる。したがって、従来の装置と異なり、液体貯留タンク１の凹部４を大きく形成しなくとも、使用時には、吐水管３の下方にバケツやジョウロ等を配置するためのスペースを十分に確保できる。このため、雨水の汲み出しが容易であり、液体貯留タンク１の容量が制限されることがない。また、液体貯留タンク１の底面積も大きく維持され、設置安定性にも優れている。
【００５０】
なお、導入管２の第１入水孔２Ａと吐水管３の垂直管部３aの第２入水孔３Ａは、一部分が重なるような状態で連通する場合も吐水が生じるため、例えば、図４に示す場合においては、必ずしも、厳密に水平管部３bの方向を凹部４の正面４dに対して直角方向（９０°）に向ける必要はない。
【００５１】
本発明の吐水装置および液体貯留タンク１は、上記実施形態に限定されることはない。例えば、液体貯留タンク１は、雨水用の貯留タンクの他、飲料水、清涼飲料等の貯留タンクなどを例示することができる。また、液体貯留タンク１、導入管２、吐水管３などの材料、大きさ等は、吐水装置の用途、設置環境等に応じて適宜設計することができる。
【符号の説明】
【００５２】
１  液体貯留タンク
２  導入管
２Ａ  第１入水孔
３  吐水管
３a  垂直管部
３b  水平管部
３Ａ  第２入水孔
４  凹部
５  フランジ
７  吐水口
【図１】
2011132679.tif 000003
【図２】
2011132679.tif 000004
【図３】
2011132679.tif 000005
【図４】
2011132679.tif 000006
【図５】
2011132679.tif 000007
【図６】
2011132679.tif 000008